(57)【要約】【課題】誰でも容易に便利良く、しかも著しく小型扁平に折りたたむことができる屋内用のジャングルジムを提供する。【解決手段】下段中央立方体枠（Ａ）とその両隣りに並列する下段左側・右側立方体枠（Ｂ１）（Ｂ２）並びに下段中央立方体枠（Ａ）に積層する上段立方体枠（Ｃ）を、その各交点での垂直軸（Ｐ）により約９０度だけ回動し得るように枢支連結して、上記立方体枠（Ａ）（Ｂ１）（Ｂ２）（Ｃ）を形作っている隣り合う縦水平骨パイプ（Ｙ）と横水平骨パイプ（Ｘ）とが、悉く平行に密着する閉合状態に折りたたみ扁平化できるように定めた。【選択図】　図１
0003097851.tif 000002
【実用新案登録請求の範囲】
【請求項１】
複数本の縦水平骨パイプ（Ｙ）と複数本の横水平骨パイプ（Ｘ）並びに複数本の垂直骨パイプ（Ｚ）とを用いて、下段中央立方体枠（Ａ）とその両隣りに並列する対称な下段左側・右側立方体枠（Ｂ１）（Ｂ２）並びに少なくとも下段中央立方体枠（Ａ）に積層する１個の上段立方体枠（Ｃ）とから枠組み立体化された屋内用のジャングルジムにおいて、
上記立方体枠（Ａ）（Ｂ１）（Ｂ２）（Ｃ）の交点に対応する各種指向形態の第１〜４固定パイプ継手（Ｊ１）（Ｊ２）（Ｊ３）（Ｊ４）を、その立方体枠（Ａ）（Ｂ１）（Ｂ２）（Ｃ）を形作る横水平骨パイプ（Ｘ）と垂直骨パイプ（Ｚ）の端部へ各々差し込み一体化すると共に、
同じく立方体枠（Ａ）（Ｂ１）（Ｂ２）（Ｃ）を形作る縦水平骨パイプ（Ｙ）の両端部へ、１種の回動パイプ継手（Ｊ）を各々差し込み一体化して、
その各回動パイプ継手（Ｊ）を上記第１〜４固定パイプ継手（Ｊ１）（Ｊ２）（Ｊ３）（Ｊ４）の各個に対して、垂直軸（Ｐ）により約９０度だけ回動し得るように枢支連結し、
上記下段中央立方体枠（Ａ）と上段立方体枠（Ｃ）とを一体的に、その隣り合う縦水平骨パイプ（Ｙ）と横水平骨パイプ（Ｘ）とが平行となる閉合状態に折りたたみ扁平化する一方、
上記下段左側・右側立方体枠（Ｂ１）（Ｂ２）を各別に、その隣り合う縦水平骨パイプ（Ｙ）と横水平骨パイプ（Ｘ）とがやはり平行となる閉合状態に折りたたみ扁平化し、
しかも、その下段左側・右側立方体枠（Ｂ１）（Ｂ２）の何れか一方が上記下段中央立方体枠（Ａ）の前面へ、残る他方が同じく下段中央立方体枠（Ａ）の後面へ、各々密接する全体の扁平な折りたたみ状態を確保できるように定めたことを特徴とする屋内用の折りたたみ式ジャングルジム。
【請求項２】
回動パイプ継手（Ｊ）を形作る縦水平骨パイプ（Ｙ）への差込み脚筒（１）から、連続一体に張り出し延長させた水平な連結板片（２）の先端角隅部を、一方向への回動許容面（４）として円弧状に面取りすると共に、
上記回動パイプ継手（Ｊ）の差込み脚筒（１）を縦水平骨パイプ（Ｙ）の左右両端部へ、その連結板片（２）の円弧状回動許容面（４）が互いに前後の逆向きとなる関係状態に各々差し込み一体化することにより、
その左右一対の回動パイプ継手（Ｊ）も含む縦水平骨パイプ（Ｙ）の全体長さを、横水平骨パイプ（Ｘ）や垂直骨パイプ（Ｚ）とほぼ同等の一定長さ（Ｌ１）に寸法化したことを特徴とする請求項１記載の屋内用の折りたたみ式ジャングルジム。
【請求項３】
縦水平骨パイプ（Ｙ）の左右両端部へ各々差し込み一体化された回動パイプ継手（Ｊ）の差込み脚筒（１）から、先端角隅部が一方向への円弧状回動許容面（４）として面取りされた水平な連結板片（２）を連続一体に張り出し延長すると共に、
下段中央立方体枠（Ａ）と上段立方体枠（Ｃ）を平面視の正方形に枠組む前後一対づつ合計３段の上記縦水平骨パイプ（Ｙ）については、その連結板片（２）の円弧状回動許容面（４）が正方形における一方の対角線（Ｆ１−Ｆ１）上に位置するもの同志では入隅側を指向し、他方の対角線（Ｒ１−Ｒ１）上に位置するもの同志では出隅側を指向する関係状態に設定する一方、
下段左側・右側立方体枠（Ｂ１）（Ｂ２）をやはり平面視の正方形に枠組む前後一対づつ合計２段の縦水平骨パイプ（Ｙ）については、上記連結板片（２）の円弧状回動許容面（４）が下段中央立方体枠（Ａ）側並びに上段立方体枠（Ｃ）側との逆向きとして、その正方形における一方の対角線（Ｆ２−Ｆ２）上に位置するもの同志では出隅側を指向し、他方の対角線（Ｒ２−Ｒ２）上に位置するもの同志では入隅側を指向する関係状態に設定したことを特徴とする請求項１記載の屋内用の折りたたみ式ジャングルジム。
【請求項４】
回動パイプ継手（Ｊ）を形作る縦水平骨パイプ（Ｙ）への差込み脚筒（１）から、先端角隅部が一方向への円弧状回動許容面（４）として面取りされた水平な連結板片（２）を、縦水平骨パイプ（Ｙ）の太さ（Ｄ）分だけ連続一体に張り出し延長する一方、
第１〜４固定パイプ継手（Ｊ１）（Ｊ２）（Ｊ３）（Ｊ４）の各個を形作る横水平骨パイプ（Ｘ）への差込み脚筒（６Ｘ）（１６Ｘ）（２６Ｘ）と、同じく垂直骨パイプ（Ｚ）への差込み脚筒（６Ｚ）（１６Ｚ）（２６Ｚ）との交叉部から片側又は両側に向かって、上記回動パイプ継手（Ｊ）側の連結板片（２）を受け入れる水平な連結フォーク板片（７Ｌ）（７Ｒ）（１７Ｌ）（１７Ｒ）（２７Ｌ）（２７Ｒ）を、やはり縦水平骨パイプ（Ｙ）の太さ（Ｄ）分だけ連続一体に張り出して、
その各第１〜４固定パイプ継手（Ｊ１）（Ｊ２）（Ｊ３）（Ｊ４）側の連結板片（７Ｌ）（７Ｒ）（１７Ｌ）（１７Ｒ）（２７Ｌ）（２７Ｒ）と上記回動パイプ継手（Ｊ）側の連結板片（２）とを、垂直軸（Ｐ）により約９０度だけ回動し得るように枢支連結したことを特徴とする請求項１記載の屋内用の折りたたみ式ジャングルジム。
【請求項５】
下段中央立方体枠（Ａ）を形作る前後一対の縦水平骨パイプ（Ｙ）と左右一対づつの垂直骨パイプ（Ｚ）へ、その縦水平骨パイプ（Ｙ）よりも長い一定長さ（Ｌ３）に造形された前後一対の接地台（Ｅ）を、上方から抜き差し自在に差し込み係止させることにより、
上記縦水平骨パイプ（Ｙ）の両端部に差し込み一体化されている回動パイプ継手（Ｊ）が、その垂直軸（Ｐ）の支点廻りに折りたたみ閉合されないよう固定維持したことを特徴とする請求項１記載の屋内用の折りたたみ式ジャングルジム。
【考案の詳細な説明】
【０００１】
【考案の属する技術分野】
本考案は屋内用の折りたたみ式ジャングルジムに関する。
【０００２】
【従来の技術】
幼児が屋内で使用する折りたたみ式のジャングルジムとして、特開２００１−３４０６６５号が提案されている。
【０００３】
【考案が解決しようとする課題】
ところが、この公知発明の折りたたみ状態では図７から明白なように、主枠体（１０）が全然変形しておらず、立方体又は直方体の枠組み形態を保ったままで、その周辺を一対の副枠体（２０）が包囲するに過ぎないため、未だ小型扁平化に劣り、集合住宅におけるベランダの狭い押入れなどへ格納し難い。
【０００４】
又、図７の折りたたみ状態から使用状態へ変換するに当っては、主枠体（１０）の対角線上に位置する一対の連結杆（１３ａ）（１３ｃ）を垂直軸として、副枠体（２０）を約９０度だけ回動することにより、その副枠体（２０）を平面視のＬ字型に展開した後、その各副枠体（２０）の先端部からヒンジ（２）を介して吊り下がる可動連結杆（２１ｃ）を、そのヒンジ（２）の支点廻りに起し上げて、主枠体（１０）へ継手（３）によって着脱自在に螺合締結する必要がある。他方、使用状態から折りたたみ状態へ変換する場合には、上記操作を逆順序に行なわなければならず、甚だ煩らわしく面倒である。
【０００５】
更に、主枠体（１０）と副枠体（２０）とが着脱自在であるため、両者の組立強度が低下するばかりでなく、一対の副枠体（２０）は図６の使用状態から明白な如く、その平面視のＬ字型をなす最下段の連結杆（２１ｂ）と連結杆（２３ｂ）においてのみ接地し、平面視の全体的なコ字型に接地しないこととも相俟って、使用中に歪み変形しやすく、幼児の安全性を保障することができない。
【０００６】
【課題を解決するための手段】
本考案はこのような課題の改良を企図しており、そのための構成上複数本の縦水平骨パイプと複数本の横水平骨パイプ並びに複数本の垂直骨パイプとを用いて、下段中央立方体枠とその両隣りに並列する対称な下段左側・右側立方体枠並びに少なくとも下段中央立方体枠に積層する１個の上段立方体枠とから枠組み立体化された屋内用のジャングルジムにおいて、
【０００７】
上記立方体枠の交点に対応する各種指向形態の第１〜４固定パイプ継手を、その立方体枠を形作る横水平骨パイプと垂直骨パイプの端部へ各々差し込み一体化すると共に、
【０００８】
同じく立方体枠を形作る縦水平骨パイプの両端部へ、１種の回動パイプ継手を各々差し込み一体化して、
【０００９】
その各回動パイプ継手を上記第１〜４固定パイプ継手の各個に対して、垂直軸により約９０度だけ回動し得るように枢支連結し、
【００１０】
上記下段中央立方体枠と上段立方体枠とを一体的に、その隣り合う縦水平骨パイプと横水平骨パイプとが平行となる閉合状態に折りたたみ扁平化する一方、
【００１１】
上記下段左側・右側立方体枠を各別に、その隣り合う縦水平骨パイプと横水平骨パイプとがやはり平行となる閉合状態に折りたたみ扁平化し、
【００１２】
しかも、その下段左側・右側立方体枠の何れか一方が上記下段中央立方体枠の前面へ、残る他方が同じく下段中央立方体枠の後面へ、各々密接する全体の扁平な折りたたみ状態を確保できるように定めたことを特徴とするものである。
【００１３】
【考案の実施の形態】
以下、図面に基いて本考案の具体的構成を詳述すると、その本考案の屋内用ジャングルジムはＹ方向（左右方向）に沿って延在する合計１４本の平行な縦水平骨パイプ（Ｙ）と、Ｘ方向（前後方向）に沿って横断する合計１０本の平行な横水平骨パイプ（Ｘ）と、Ｚ方向（高さ方向）に沿って起立する合計１２本の平行な垂直骨パイプ（Ｚ）と、各縦水平骨パイプ（Ｙ）の左右両端部に付属された回動パイプ継手（Ｊ）と、各横水平骨パイプ（Ｘ）と各垂直骨パイプ（Ｚ）との交点に介挿された第１〜４固定パイプ継手（Ｊ１）（Ｊ２）（Ｊ３）（Ｊ４）と、その各固定パイプ継手（Ｊ１）（Ｊ２）（Ｊ３）（Ｊ４）に対して各回動パイプ継手（Ｊ）を回動自在に枢支連結する垂直軸（Ｐ）とから、図１〜４に例示するような正面視の全体的な凸型輪郭形状に枠組み立体化されており、その枠組み立体化された展開使用状態から図３２〜３５の扁平な折りたたみ状態へ、又はその逆に変換操作することができるようになっている。
【００１４】
つまり、図１〜４のように枠組み立体化された展開使用状態において、（Ａ）はそのジャングルジムの下段中央立方体枠、（Ｂ１）（Ｂ２）はこれの両隣りに並列する対称な下段左側立方体枠と下段右側立方体枠、（Ｃ）は同じく下段中央立方体枠（Ａ）に積層する１個の上段立方体枠を例示しており、これらが悉く平面視の正方形に展開した使用状態として、幼児の遊戯に供されるのである。
【００１５】
このようなジャングルジムの構成部品について言えば、先ず上記骨パイプ（Ｘ）（Ｙ）（Ｚ）は悉く同じ太さ（Ｄ）（例えば約３０ｍｍの直径）の硬質な合成樹脂パイプから成るが、その長さに限っては横水平骨パイプ（Ｘ）と垂直骨パイプ（Ｚ）とが例えば約３００ｍｍの一定長さ（Ｌ１）として長く、残りの縦水平骨パイプ（Ｙ）が例えば約２３０ｍｍの一定長さ（Ｌ２）として短く相違されており、このような長短相違する２種が使い分けられるようになっている。
【００１６】
次に、回動パイプ継手（Ｊ）は硬質な合成樹脂から一体成形された１種として、図１１に示すような水平の差込み脚筒（１）と、これから先端側へ張り出し延長された水平な連結板片（２）とを備えており、その差込み脚筒（１）と連結板片（２）との境界部からは、上記骨パイプ（Ｘ）（Ｙ）（Ｚ）の太さ（Ｄ）と同径の円形な差込み深さ規制フランジ（３）が張り出されてもいる。
【００１７】
しかも、回動パイプ継手（Ｊ）の連結板片（２）は平面視の四角形をなしているが、その前側又は後側の先端角隅部だけは一方向への回動許容面（４）として、上記連結板片（２）の中央部に貫通形成された垂直軸受け入れ孔（５）からの一定な回動半径を描く円弧状に面取りされており、垂直軸（Ｐ）を支点として約９０度だけ回動し得るようになっている。
【００１８】
そして、このような回動パイプ継手（Ｊ）の差込み脚筒（１）は上記短かい縦水平骨パイプ（Ｙ）の左右両端部へ、その施栓状態に差し込み一体化されることとなり、これによって一対の回動パイプ継手（Ｊ）も含む縦水平骨パイプ（Ｙ）の全体長さが、上記長い横水平骨パイプ（Ｘ）や垂直骨パイプ（Ｚ）とほぼ同等の一定長さ（Ｌ１）に寸法化されているのである。
【００１９】
その結果、ジャングルジムの下段中央立方体枠（Ａ）、下段左側立方体枠（Ｂ１）、下段右側立方体枠（Ｂ２）並びに上段立方体枠（Ｃ）が、その悉く文字通りの「立方体枠」として、図１〜４のように形作られるわけである。尚、上記水平な連結板片（２）を備えた回動パイプ継手（Ｊ）はその使用上、上下の方向性を区別することなく縦水平骨パイプ（Ｙ）へ差し込み固定することができる。
【００２０】
更に、第１〜４固定パイプ継手（Ｊ１）（Ｊ２）（Ｊ３）（Ｊ４）の４種はこれらも硬質な合成樹脂から、上記立方体枠（Ａ）（Ｂ１）（Ｂ２）（Ｃ）の交点に対応する指向形態として、各々図１２〜１５のように一体成形されており、本考案に係るジャングルジムの枠組み上、その第１固定パイプ継手（Ｊ１）の合計４個、第２固定パイプ継手（Ｊ２）の合計４個、第３固定パイプ継手（Ｊ３）の合計６個、第４固定パイプ継手（Ｊ４）の合計６個が各々使用されることになる。
【００２１】
即ち、第１固定パイプ継手（Ｊ１）は２方継手として、図１２のような側面視のＬ字型に交叉する水平な差込み脚筒（６Ｘ）と上向きの垂直な差込み脚筒（６Ｚ）とを備えているが、その交叉部から両側へ上記骨パイプ（Ｘ）（Ｙ）（Ｚ）の太さ（Ｄ）分だけ張り出す左右一対の水平な連結フォーク板片（７Ｌ）（７Ｒ）も具備しており、図１、２、１６のように正面視の倒立Ｔ字型をなす交点へ介挿使用される。
【００２２】
そして、図１６〜１９から明白なように、その第１固定パイプ継手（Ｊ１）の水平な差込み脚筒（６Ｘ）が横水平骨パイプ（Ｘ）の一端部へ、同じく上向きの垂直な差込み脚筒（６Ｚ）が垂直骨パイプ（Ｚ）の下端部へ各々差し込み一体化される一方、両連結フォーク板片（７Ｌ）（７Ｒ）の間隙内へ相反する左右方向から、上記縦水平骨パイプ（Ｙ）に付属している回動パイプ継手（Ｊ）の連結板片（２）が、各々受け入れられることになるのである。その場合、両連結フォーク板片（７Ｌ）（７Ｒ）の張り出し先端部は平面視の円弧状に面取りされている。
【００２３】
（８）（８）は上記差込み脚筒（６Ｘ）（６Ｚ）の基端部から、各々上記骨パイプ（Ｘ）（Ｙ）（Ｚ）の太さ（Ｄ）分だけ張り出す円形な差込み深さ規制フランジ、（９）（９）は両連結フォーク板片（７Ｌ）（７Ｒ）に貫通形成された左右一対の垂直軸受け入れ孔であり、上記回動パイプ継手（Ｊ）の連結板片（２）に開口している垂直軸受け入れ孔（５）と合致連通する。
【００２４】
尚、このような第１固定パイプ継手（Ｊ１）は図例の場合、その垂直な差込み脚筒（６Ｚ）の上向きとして使用されるようになっているが、ジャングルジムの枠組み次第では下向き倒立状態として使用されることもあり得る。
【００２５】
第２固定パイプ継手（Ｊ２）は３方継手として、図１３のような側面視の横向きＴ字型に交叉する水平な差込み脚筒（１６Ｘ）と上下一対の垂直な差込み脚筒（１６Ｚ）（１６Ｚ）とを備えているが、その交叉部からやはり両側へ上記骨パイプ（Ｘ）（Ｙ）（Ｚ）の太さ（Ｄ）分だけ張り出す左右一対の水平な連結フォーク板片（１７Ｌ）（１７Ｒ）も具備することにより、図１、２、２０のように正面視の十字型をなす交点へ介挿使用される。
【００２６】
つまり、図２０〜２３から明白なように、その第２固定パイプ継手（Ｊ２）の水平な差込み脚筒（１６Ｘ）が上記第１固定パイプ継手（Ｊ１）と同じく、横水平骨パイプ（Ｘ）の一端部へ差し込み一体化されると共に、同じく上向きの垂直な差込み脚筒（１６Ｚ）が垂直骨パイプ（Ｚ）の下端部へ、残る下向きの垂直な差込み脚筒（１６Ｚ）が別な垂直骨パイプ（Ｚ）の上端部へ、各々差し込み一体化されることになる。但し、第２固定パイプ継手（Ｊ２）はその上下の方向性を区別することなく使用することができる。
【００２７】
他方、両連結フォーク板片（１７Ｌ）（１７Ｒ）の間隙内には上記第１固定パイプ継手（Ｊ１）と同じく、縦水平骨パイプ（Ｙ）に付属している回動パイプ継手（Ｊ）の連結板片（２）が、やはり相反する左右方向から各々受け入れられることになる。その場合、両連結フォーク板片（１７Ｌ）（１７Ｒ）の張り出し先端部は上記第１固定パイプ継手（Ｊ１）と同じく、平面視の円弧状に面取りされている。
【００２８】
（１０）（１０）（１０）は上記差込み脚筒（１６Ｘ）（１６Ｚ）（１６Ｚ）の基端部から、各々上記骨パイプ（Ｘ）（Ｙ）（Ｚ）の太さ（Ｄ）分だけ張り出す円形な差込み深さ規制フランジ、（１１）（１１）は両連結フォーク板片（１７Ｌ）（１７Ｒ）に貫通形成された左右一対の垂直軸受け入れ孔であって、やはり上記回動パイプ継手（Ｊ）の連結板片（２）に開口している垂直軸受け入れ孔（５）と合致連通する。
【００２９】
又、第３、４固定パイプ継手（Ｊ３）（Ｊ４）の２種は所謂左勝手と右勝手との対称に振り向く何れも２方継手であって、図１４、１５のような側面視のＬ字型に交叉する水平な差込み脚筒（２６Ｘ）と上向きの垂直な差込み脚筒（２６Ｚ）とを備えているが、その交叉部から左側又は右側の片側に向かってのみ上記骨パイプ（Ｘ）（Ｙ）（Ｚ）の太さ（Ｄ）分だけ張り出す水平な連結フォーク板片（２７Ｌ）（２７Ｒ）も具備しており、図１、２、２４のように正面視のＬ字型をなす交点へ介挿使用される。但し、その垂直な差込み脚筒（２６Ｚ）を下向きとして、正面視の倒立Ｌ字型をなす交点に介挿使用することも可能である。
【００３０】
つまり、図２４〜２７から明白なように、その第３、４固定パイプ継手（Ｊ３）（Ｊ４）の水平な差込み脚筒（２６Ｘ）が上記第１、２固定パイプ継手（Ｊ１）（Ｊ２）と同じく、横水平骨パイプ（Ｘ）の一端部へ差し込み一体化されると共に、垂直な差込み脚筒（２６Ｚ）が垂直骨パイプ（Ｚ）の下端部又は上端部へ差し込み一体化されることになる一方、連結フォーク板片（２７Ｌ）（２７Ｒ）の間隙内には上記縦水平骨パイプ（Ｙ）に付属している回動パイプ継手（Ｊ）の連結板片（２）が、左右何れか一方向から受け入れられることとなる。その各連結フォーク板片（２７Ｌ）（２７Ｒ）の張り出し先端部も上記第１、２固定パイプ継手（Ｊ１）（Ｊ２）と同様に、やはり平面視の円弧状に面取りされている。
【００３１】
このような第３、４固定パイプ継手（Ｊ３）（Ｊ４）を形作る差込み脚筒（２６Ｘ）（２６Ｚ）の基端部からも、円形の差込み深さ規制フランジ（１２）（１２）が各々骨パイプ（Ｘ）（Ｙ）（Ｚ）の太さ（Ｄ）分だけ張り出されているほか、その各連結フォーク板片（２７Ｌ）（２７Ｒ）には上記回動パイプ継手（Ｊ）の連結板片（２）に開口している垂直軸受け入れ孔（５）と対応合致する垂直軸受け入れ孔（１３）が、やはり貫通形成されてもいる。
【００３２】
そして、第１〜４固定パイプ継手（Ｊ１）（Ｊ２）（Ｊ３）（Ｊ４）の連結フォーク板片（７Ｌ）（７Ｒ）（１７Ｌ）（１７Ｒ）（２７Ｌ）（２７Ｒ）に各々開口する垂直軸受け入れ孔（９）（９）（１１）（１１）（１３）（１３）と、上記回動パイプ継手（Ｊ）の連結板片（２）に開口する垂直軸受け入れ孔（５）へ、１種の垂直軸（Ｐ）が串刺し貫通されることにより、上記縦水平骨パイプ（Ｙ）が第１〜４固定パイプ継手（Ｊ１）（Ｊ２）（Ｊ３）（Ｊ４）へ回動自在に枢支連結されることとなるのである。
【００３３】
上記垂直軸（Ｐ）としてはピンやリベット、ボルトとナットとのネジ締結具などを採用できるが、何れにあってもその上下両端部を上記第１〜４固定パイプ継手（Ｊ１）（Ｊ２）（Ｊ３）（Ｊ４）における連結フォーク板片（７Ｌ）（７Ｒ）（１７Ｌ）（１７Ｒ）（２７Ｌ）（２７Ｒ）の垂直軸受け入れ孔（９）（９）（１１）（１１）（１３）（１３）内へ埋没させて、使用上の安全性を昂めることが好ましい。
【００３４】
このような構成部品から本考案のジャングルジムを枠組み立体化するに当っては、各縦水平骨パイプ（Ｙ）の左右両端部へ回動パイプ継手（Ｊ）の一対を、予じめ図１０の平面図に示す如く、その連結板片（２）に面取りされている円弧状の回動許容面（４）が、互いに前後の逆きとなる関係状態に差し込み一体化しておく。
【００３５】
そして、図１〜４のような下段中央立方体枠（Ａ）と下段左側立方体枠（Ｂ１）、下段右側立方体枠（Ｂ２）並びに上段立方体枠（Ｃ）を形作ることとなる各交点へ、その対応する指向形態の第１〜４固定パイプ継手（Ｊ１）（Ｊ２）（Ｊ３）（Ｊ４）を介挿使用して、その各交点の横水平骨パイプ（Ｘ）と垂直骨パイプ（Ｚ）に差し込み一体化した第１〜４固定パイプ継手（Ｊ１）（Ｊ２）（Ｊ３）（Ｊ４）と、上記縦水平骨パイプ（Ｙ）に付属している回動パイプ継手（Ｊ）とを、垂直骨パイプ（Ｚ）と平行な垂直軸（Ｐ）により約９０度だけ回動し得るように枢支連結するのである。
【００３６】
即ち、下段中央立方体枠（Ａ）を形作る垂直骨パイプ（Ｚ）の下端部には、合計４個の第１固定パイプ継手（Ｊ１）を使用して、その各第１固定パイプ継手（Ｊ１）の差込み脚筒（６Ｚ）（６Ｘ）を垂直骨パイプ（Ｚ）と横水平骨パイプ（Ｘ）へ差し込み一体化すると共に、同じく第１固定パイプ継手（Ｊ１）同志の向かい合う連結フォーク板片（７Ｌ）（７Ｒ）と、縦水平骨パイプ（Ｙ）の左右両端部に付属している回動パイプ継手（Ｊ）の連結板片（２）とを、各々垂直軸（Ｐ）により約９０度だけ回動し得るように枢支連結して、その前後一対の縦水平骨パイプ（Ｙ）と左右一対の横水平骨パイプ（Ｘ）とから成る平面視の正方形に枠組む。
【００３７】
又、同じく下段中央立方体枠（Ａ）を形作る垂直骨パイプ（Ｚ）の上端部には、合計４個の第２固定パイプ継手（Ｊ２）を使用して、その各第２固定パイプ継手（Ｊ２）の両差込み脚筒（１６Ｚ）（１６Ｘ）を垂直骨パイプ（Ｚ）と横水平骨パイプ（Ｘ）へ差し込み一体化すると共に、同じく第２固定パイプ継手（Ｊ２）同志の向かい合う連結フォーク板片（１７Ｌ）（１７Ｒ）と、縦水平骨パイプ（Ｙ）の左右両端部に付属している回動パイプ継手（Ｊ）の連結板片（２）とを、各々垂直軸（Ｐ）により約９０度だけ回動し得るように枢支連結して、やはり前後一対の縦水平骨パイプ（Ｙ）と左右一対の横水平骨パイプ（Ｘ）とから成る平面視の正方形に枠組む。
【００３８】
他方、上段立方体枠（Ｃ）を形作る垂直骨パイプ（Ｚ）の上端部には、合計２個づつの第３、４固定パイプ継手（Ｊ３）（Ｊ４）を使用して、その第３、４固定パイプ継手（Ｊ３）（Ｊ４）の両差込み脚筒（２６Ｚ）（２６Ｘ）を垂直骨パイプ（Ｚ）と横水平骨パイプ（Ｘ）へ各々差し込み一体化すると共に、第３固定パイプ継手（Ｊ３）同志並びに第４固定パイプ継手（Ｊ４）同志の各々向かい合う連結フォーク板片（２７Ｌ）（２７Ｒ）と、縦水平骨パイプ（Ｙ）の左右両端部に付属している回動パイプ継手（Ｊ）の連結板片（２）とを、各々垂直軸（Ｐ）により約９０度だけ回動し得るように枢支連結して、前後一対の縦水平骨パイプ（Ｙ）と左右一対の横水平骨パイプ（Ｘ）とから成る平面視の正方形に枠組み、このような枠組みと相前後して、垂直骨パイプ（Ｚ）の下端部を上記第２固定パイプ継手（Ｊ２）から上向く垂直な差込み脚筒（１６Ｚ）へ各々差し込み一体化することにより、その上段立方体枠（Ｃ）を下段中央立方体枠（Ａ）への積層状態に組み立てる。
【００３９】
そうすれば、平面視の正方形をなす上段立方体枠（Ｃ）と下段中央立方体枠（Ａ）とは、その４隅部の垂直軸（Ｐ）を回動支点として一体的に閉合し、その隣り合う縦水平骨パイプ（Ｙ）と横水平骨パイプ（Ｘ）とが平行に密接する扁平な折りたたみ状態となり得る。
【００４０】
更に、下段左側立方体枠（Ｂ１）と下段右側立方体枠（Ｂ２）を形作る垂直骨パイプ（Ｚ）の上下両端部には、合計４個づつの第３、４固定パイプ継手（Ｊ３）（Ｊ４）を使用して、その第３、４固定パイプ継手（Ｊ３）（Ｊ４）の両差込み脚筒（２６Ｚ）（２６Ｘ）を垂直骨パイプ（Ｚ）と横水平骨パイプ（Ｘ）へ各々差し込み一体化すると共に、その第３、４固定パイプ継手（Ｊ３）（Ｊ４）の連結フォーク板片（２７Ｌ）（２７Ｒ）へ縦水平骨パイプ（Ｙ）の一端部に付属している回動パイプ継手（Ｊ）の連結板片（２）を、各々垂直軸（Ｐ）により約９０度だけ回動し得るように枢支連結し、このような枠組みと相前後して、同じく縦水平骨パイプ（Ｙ）の他端部に付属している回動パイプ継手（Ｊ）の連結板片（２）を、上記第１、２固定パイプ継手（Ｊ１）（Ｊ２）の対応的に向かい合う連結フォーク板片（７Ｌ）（７Ｒ）（１７Ｌ）（１７Ｒ）へ、各々垂直軸（Ｐ）により約９０度だけ回動自在に枢支連結して、その下段左側立方体枠（Ｂ１）と下段右側立方体枠（Ｂ２）を下段中央立方体枠（Ａ）への並列状態に組み立てるのである。
【００４１】
そうすれば、下段中央立方体枠（Ａ）の垂直骨パイプ（Ｚ）のみならず、横水平骨パイプ（Ｘ）も兼用して、平面視の正方形に形作られた下段左側立方体枠（Ｂ１）と下段右側立方体枠（Ｂ２）は、その４隅部の垂直軸（Ｐ）を回動支点として各別に閉合し、その隣り合う縦水平骨パイプ（Ｙ）と横水平骨パイプ（Ｘ）とがやはり平行に密接する扁平な折りたたみ状態となり得る。
【００４２】
但し、図４に示すような平面から見た場合、下段中央立方体枠（Ａ）と上段立方体枠（Ｃ）を正方形に枠組む前後一対づつ合計３段の縦水平骨パイプ（Ｙ）については、その左右両端部に付属の回動パイプ継手（Ｊ）側から張り出す連結板片（２）の円弧状回動許容面（４）が、正方形における一方の対角線（Ｆ１−Ｆ１）（図４の右上がり傾斜対角線）上に位置するもの同志では入隅側（内側への回動方向）を指向し、その正方形における他方の対角線（Ｒ１−Ｒ１）（図４の右下がり傾斜対角線）上に位置するもの同志では出隅側（外側への回動方向）を指向する関係状態にあり、これによって折りたたみ閉合することとなる方向性が予じめ規定されている。
【００４３】
これに対して、下段左側立方体枠（Ｂ１）と下段右側立方体枠（Ｂ２）との各個をやはり正方形に枠組む前後一対づつ合計２段の縦水平骨パイプ（Ｙ）については、その左右両端部に付属の回動パイプ継手（Ｊ）側から張り出す連結板片（２）の円弧状回動許容面（４）が、上記下段中央立方体枠（Ａ）側並びに上段立方体枠（Ｃ）側との逆向きとして、正方形における一方の対角線（Ｆ２−Ｆ２）（同図の右上がり傾斜対角線）上に位置するもの同志では出隅側（外側への回動方向）を指向し、その正方形における他方の対角線（Ｒ２−Ｒ２）（同図の右下がり傾斜対角線）上に位置するもの同志では入隅側（内側への回動方向）を指向する関係状態にあり、これによって下段左側立方体枠（Ｂ１）と下段右側立方体枠（Ｂ２）との何れか一方が、先に折りたたまれた下段中央立方体枠（Ａ）の前面へ密接する状態として折りたたみ扁平化され、残る他方が同じく下段中央立方体枠（Ａ）の後面へ密接する状態として折りたたみ扁平化されるようになっているのである。
【００４４】
上記縦水平骨パイプ（Ｙ）の配列方向性については、その左右両端部に差し込み一体化された回動パイプ継手（Ｊ）側の円弧状回動許容面（４）が、予じめ図１０のような平面から見て前後の逆向きとなっている縦水平骨パイプ（Ｙ）を、図４の全体から示唆される如く、下段中央立方体枠（Ａ）と上段立方体枠（Ｃ）、下段左側立方体枠（Ｂ１）並びに下段右側立方体枠（Ｂ２）の枠組みに際して、その前列と後列との何れにおいても交互に左右の逆向きとして、且つ前列と後列との相互間でも左右逆向きの千鳥配列状態として使用することにより、容易に規定することができる。
【００４５】
図２、５の符号（Ｅ）は上記のように枠組み立体化されたジャングルジムの展開使用状態を固定維持する対称な前後一対の接地台であり、硬質な合成樹脂から図６〜９に抽出する形態として一体成形されている。
【００４６】
つまり、各接地台（Ｅ）は両回動パイプ継手（Ｊ）の付属している縦水平骨パイプ（Ｙ）よりも長い一定長さ（Ｌ３）（例えば約４５４ｍｍ）を備えた平面視のほぼ門字型として、これから前向き又は後向きに張り出す左右一対のスタビライザー（１４）が、ジャングルジムにおける前後方向への転倒に対して突っ張り抵抗力を与えるようになっている。
【００４７】
しかも、その接地台（Ｅ）がジャングルジムへ取り付けられる背面に沿っては、縦水平骨パイプ受け入れ凹溝（１５Ｙ）が下向き開口状態に区画延在されているほか、その縦水平骨パイプ受け入れ凹溝（１５Ｙ）と正面視の倒立Ｔ字型に連通する垂直骨パイプ受け入れ筒（１５Ｚ）の左右一対が、その背面の開口するＵ字型として一定高さ（Ｈ）だけ垂立されてもいる。その両垂直骨パイプ受け入れ筒（１５Ｚ）の左右相互間隔が、上記回動パイプ継手（Ｊ）の左右一対を付属している縦水平骨パイプ（Ｙ）の全体長さ（Ｌ１）とほぼ同等に寸法化されていることは言うまでもない。
【００４８】
（１８）はその縦水平骨パイプ受け入れ凹溝（１５Ｙ）の開口縁部から内向きに突出する縦水平骨パイプ用抜け止めリブ、（１９）は垂直骨パイプ受け入れ筒（１５Ｚ）の開口縁部からやはり内向きに突出する垂直骨パイプ用抜け止めリブであり、その抜け止めリブ（１８）（１９）の何れも補強リブを兼ねている。
【００４９】
そのため、このような接地台（Ｅ）の前後一対を図５に示す如く、その縦水平骨パイプ受け入れ凹溝（１５Ｙ）を下段中央立方体枠（Ａ）の縦水平骨パイプ（Ｙ）へ上方から抜き差し自在に差し込み係止させると共に、左右一対の垂直骨パイプ受け入れ筒（１５Ｚ）を同じく下段中央立方体枠（Ａ）の対応位置する左右一対づつの垂直骨パイプ（Ｚ）へ、やはり上方から抜き差し自在に差し込み係止させることによって、ジャングルジムの展開使用状態を安定良く固定維持することができる。
【００５０】
下段中央立方体枠（Ａ）を形作る垂直骨パイプ（Ｚ）と横水平骨パイプ（Ｘ）へ差し込み一体化された第１固定パイプ継手（Ｊ１）に対して、縦水平骨パイプ（Ｙ）の左右両端部に付属されている両回動パイプ継手（Ｊ）が、その垂直軸（Ｐ）の支点廻りに折りたたみ閉合されてしまうおそれを、上記接地台（Ｅ）における縦水平骨パイプ受け入れ凹溝（１５Ｙ）と垂直骨パイプ受け入れ筒（１５Ｚ）との差し込み係止力によって、確固に施錠できるからであり、上記下段中央立方体枠（Ａ）とその両隣りの下段左側立方体枠（Ｂ１）並びに下段右側立方体枠（Ｂ２）を形作る縦水平骨パイプ（Ｙ）と横水平骨パイプ（Ｘ）のすべてが接地することとも相俟って、歪み変形のおそれがない安全な使用状態を得られる
【００５１】
又、図２８から明白な如く、上記ジャングルジムの下段左側立方体枠（Ｂ１）又は下段右側立方体枠（Ｂ２）には、滑り台（２０）と階段（２１）並びに天板（２２）を係脱自在に係止させることにより、そのジャングルジムに使用上の興趣変化や付加価値を与えることも可能である。
【００５２】
つまり、滑り台（２０）は硬質な合成樹脂から断面ほほＵ字型に一体成形されており、その上端部が円弧状に屈曲する係止フック（２０ａ）として、上記ジャングルジムの縦水平骨パイプ（Ｙ）へ係脱自在に係止されるようになっているほか、その係止フック（２０ａ）には並列する一対の爪受け入れ口（２０ｂ）が切り欠かれてもいる。
【００５３】
又、階段（２１）も硬質な合成樹脂から成り、その上端部が円弧状に屈曲する係止フック（２１ａ）として、やはりジャングルジムの縦水平骨パイプ（Ｙ）へ係脱自在に係止されるようになっていると共に、その係止フック（２１ａ）にも並列する一対の爪受け入れ口（２１ｂ）が切り欠かれている。
【００５４】
そして、天板（２２）は図２９に抽出して示す如く、上記ジャングルジムの下段左側立方体枠（Ｂ１）又は下段右側立方体枠（Ｂ２）を上方から施蓋できる大きさの正方形として、やはり硬質な合成樹脂から成形されており、その周辺部から連続一体に垂下する一対づつの係止爪（２２ａ）が図３０のように、先にジャングルジムの縦水平骨パイプ（Ｙ）へ係止された滑り台（２０）の爪受け入れ口（２０ｂ）と、同じく縦水平骨パイプ（Ｙ）へ係止された階段（２１）の爪受け入れ口（２１ｂ）とを貫通して、そのジャングルジムの縦水平骨パイプ（Ｙ）と横水平骨パイプ（Ｘ）へ係脱自在に係止するようになっている。
【００５５】
そのため、その縦・横水平骨パイプ（Ｙ）（Ｘ）に対する係止爪（２２ａ）の弾圧力とも相俟って、天板（２２）により滑り台（２０）と階段（２１）とを上記ジャングルジムの下段左側立方体枠（Ｂ１）又は下段右側立方体枠（Ｂ２）へ、上方から一挙同時に押え付け固定維持することができる。
【００５６】
本考案のジャングルジムを図１〜４の展開使用状態から折りたたむ場合には、これに付属している上記接地台（Ｅ）や滑り台（２０）、階段（２１）、天板（２２）をすべて取りはずした上、平面視の正方形にある上段立方体枠（Ｃ）と下段中央立方体枠（Ａ）とを、その４隅部に点在分布している垂直軸（Ｐ）を回動支点として一体的に閉合させるのである。
【００５７】
そうすれば、その上段立方体枠（Ｃ）と下段中央立方体枠（Ａ）を形作っている隣り合う縦水平骨パイプ（Ｙ）と横水平骨パイプ（Ｘ）とが、図３１の中途過程を経て図３２〜３５のように、平行に密接する扁平な折りたたみ状態となり、これに付随して引っ張り変向される下段左側立方体枠（Ｂ１）と下段右側立方体枠（Ｂ２）との何れか一方（図例では下段右側立方体枠）が、先に折りたたまれた下段中央立方体枠（Ａ）の前面へ、残る他方（図例では下段左側立方体枠）が同じく下段中央立方体枠（Ａ）の後面へ、自づと各別に接近する位置関係となる。
【００５８】
そのため、引き続き下段左側立方体枠（Ｂ１）と下段右側立方体枠（Ｂ２）を図３１から図３５のように、その４隅部の垂直軸（Ｐ）を回動支点として各別に閉合させることにより、これらの隣り合う縦水平骨パイプ（Ｙ）と横水平骨パイプ（Ｘ）とが平行に密接した状態として、しかも上記下段中央立方体枠（Ａ）の前面と後面にも密接するように折りたたみ扁平化すれば良い。
【００５９】
そのジャングルジムの全体的な折りたたみ状態は図３２〜３５に示す通りであり、これから明白なように、上記第１〜４固定パイプ継手（Ｊ１）（Ｊ２）（Ｊ３）（Ｊ４）の連結フォーク板片（７Ｌ）（７Ｒ）（１７Ｌ）（１７Ｒ）（２７Ｌ）（２７Ｒ）が縦水平骨パイプ（Ｙ）の太さ（Ｄ）分だけ張り出し形成されていることとも相俟って、その下段中央立方体枠（Ａ）と上段立方体枠（Ｃ）、下段左側立方体枠（Ｂ１）並びに下段右側立方体枠（Ｂ２）を形作る縦水平骨パイプ（Ｙ）と横水平骨パイプ（Ｘ）が、悉く平行に密着した扁平な折りたたみ状態を確保することができる。
【００６０】
従って、接地台（Ｅ）の長さ（Ｌ３）や滑り台（２０）の作用長さを、下段中央立方体枠（Ａ）と上段立方体枠（Ｃ）との積層高さと同等か、又はそれ以下の短く寸法化しておくことにより、本考案のジャングルジムとこれらの付属品との全体を、一括して扁平な直方体型に梱包・輸送することができ、集合住宅におけるベランダの狭い押入れなどへ、小型コンパクトに格納することも可能となる。
【００６１】
先には、上段立方体枠（Ｃ）と下段中央立方体枠（Ａ）を折りたたんだ後、これと一連の下段左側立方体枠（Ｂ１）と下段右側立方体枠（Ｂ２）を折りたたむ旨として説明したが、その操作順序は逆として、使用者の適当に選定することができ、全体の一挙同時に折りたたむことも可能である。又、上記操作順序を逆に行なえば、その折りたたみ状態から展開使用状態へ変換できることは、言うまでもない。
【００６２】
尚、図示実施形態のジャングルジムは下段中央立方体枠（Ａ）とその両隣りに並列する下段左側・右側立方体枠（Ｂ１）（Ｂ２）並びに下段中央立方体枠（Ａ）に積層する１個の上段立方体枠（Ｃ）とから、正面視の全体的な凸型輪郭形状に枠組み立体化されているが、ジャングルジムの上下位置関係ではその立方体枠（Ａ）（Ｃ）を形作る垂直骨パイプ（Ｚ）同志が、これに差し込み一体化された第１〜４固定パイプ継手（Ｊ１）（Ｊ２）（Ｊ３）（Ｊ４）の垂直な差込み脚筒（６Ｚ）（１６Ｚ）（２６Ｚ）を介して、言わば一本化されることになるため、図示省略してあるが、例えば下段左側・右側立方体枠（Ｂ１）（Ｂ２）の何れか一方又は双方へ、上段立方体枠（Ｃ）を積層したジャングルジムや、２段以上に積層したジャングルジムであっても、既述の折りたたみ操作を行なうことにより、図３２〜３５に準じた扁平な折りたたみ状態を同様に得ることができる。
【００６３】
他方、ジャングルジムの同一平面にある左右位置関係では、その立方体枠（Ｂ１）（Ｂ２）が中央立方体枠（Ａ）を基準と仮定した時、垂直骨パイプ（Ｚ）と平行な垂直軸（Ｐ）を回動支点として、各別に折りたたみ閉合されることになるため、その立方体枠（Ｂ１）（Ｂ２）を形作る縦水平骨パイプ（Ｙ）に付属している回動パイプ継手（Ｊ）の円弧状回動許容面（４）について、図４のような交互に逆向きとなる配列方向性を繰り返し遵守することにより、上記立方体枠（Ａ）（Ｂ１）（Ｂ２）が下段に３個並列するジャングルジムのみならず、その正面視の２個や４個以上が並列するジャングルジムについても、本考案を適用して、やはり図３２〜３５に準じた扁平な折りたたみ状態を得ることができる。
【００６４】
【考案の効果】
以上のように、本考案では複数本の縦水平骨パイプ（Ｙ）と複数本の横水平骨パイプ（Ｘ）並びに複数本の垂直骨パイプ（Ｚ）とを用いて、下段中央立方体枠（Ａ）とその両隣りに並列する対称な下段左側・右側立方体枠（Ｂ１）（Ｂ２）並びに少なくとも下段中央立方体枠（Ａ）に積層する１個の上段立方体枠（Ｃ）とから枠組み立体化された屋内用のジャングルジムにおいて、
【００６５】
上記立方体枠（Ａ）（Ｂ１）（Ｂ２）（Ｃ）の交点に対応する各種指向形態の第１〜４固定パイプ継手（Ｊ１）（Ｊ２）（Ｊ３）（Ｊ４）を、その立方体枠（Ａ）（Ｂ１）（Ｂ２）（Ｃ）を形作る横水平骨パイプ（Ｘ）と垂直骨パイプ（Ｚ）の端部へ各々差し込み一体化すると共に、
【００６６】
同じく立方体枠（Ａ）（Ｂ１）（Ｂ２）（Ｃ）を形作る縦水平骨パイプ（Ｙ）の両端部へ、１種の回動パイプ継手（Ｊ）を各々差し込み一体化して、
【００６７】
その各回動パイプ継手（Ｊ）を上記第１〜４固定パイプ継手（Ｊ１）（Ｊ２）（Ｊ３）（Ｊ４）の各個に対して、垂直軸（Ｐ）により約９０度だけ回動し得るように枢支連結し、
【００６８】
上記下段中央立方体枠（Ａ）と上段立方体枠（Ｃ）とを一体的に、その隣り合う縦水平骨パイプ（Ｙ）と横水平骨パイプ（Ｘ）とが平行となる閉合状態に折りたたみ扁平化する一方、
【００６９】
上記下段左側・右側立方体枠（Ｂ１）（Ｂ２）を各別に、その隣り合う縦水平骨パイプ（Ｙ）と横水平骨パイプ（Ｘ）とがやはり平行となる閉合状態に折りたたみ扁平化し、
【００７０】
しかも、その下段左側・右側立方体枠（Ｂ１）（Ｂ２）の何れか一方が上記下段中央立方体枠（Ａ）の前面へ、残る他方が同じく下段中央立方体枠（Ａ）の後面へ、各々密接する全体の扁平な折りたたみ状態を確保できるように定めてあるため、冒頭に述べた従来技術の課題を完全に解決できる効果がある。
【００７１】
即ち、本考案の上記構成によれば、下段中央立方体枠（Ａ）と上段立方体枠（Ｃ）並びに下段左側・右側立方体枠（Ｂ１）（Ｂ２）の各交点において、これらを形作る横水平骨パイプ（Ｘ）と垂直骨パイプ（Ｚ）へ差し込み一体化された第１〜４固定パイプ継手（Ｊ１）（Ｊ２）（Ｊ３）（Ｊ４）と、同じく縦水平骨パイプ（Ｙ）の両端部へ差し込み一体化された回動パイプ継手（Ｊ）とが、悉く垂直軸（Ｐ）によって約９０度だけ回動し得るように枢支連結されているため、その垂直軸（Ｐ）を回動支点として図１〜４の展開使用状態から図３２〜３５の折りたたみ状態へ、又はその逆へ極めて簡単に便利良く変換操作することができ、その操作性に著しく優れる。
【００７２】
しかも、下段中央立方体枠（Ａ）と上段立方体枠（Ｃ）を平面視の正方形に形作っている隣り合う縦水平骨パイプ（Ｙ）と横水平骨パイプ（Ｘ）とが閉合して、平行に密接する一方、下段左側・右側立方体枠（Ｂ１）（Ｂ２）を平面視の正方形に形作っている隣り合う縦水平骨パイプ（Ｙ）と横水平骨パイプ（Ｘ）とが閉合して、やはり平行に密接すると共に、その下段左側・右側立方体枠（Ｂ１）（Ｂ２）の何れか一方が下段中央立方体枠（Ａ）の前面へ、残る他方が同じく下段中央立方体枠（Ａ）の後面へ何れも閉合密接することになるため、全体の著しく扁平化した折りたたみ状態を得ることができ、集合住宅におけるベランダの狭い押入れなどへ、小型コンパクトに格納し得る効果がある。
【００７３】
又、それにも拘らず展開使用状態では、下段中央立方体枠（Ａ）と下段左側・右側立方体枠（Ｂ１）（Ｂ２）を平面視の正方形に形作る縦水平骨パイプ（Ｙ）と横水平骨パイプ（Ｘ）とが、その悉く接地する結果、使用中に歪み変形するおそれもなく、幼児の安全な遊戯に供することができるのである。
【００７４】
特に、請求項２の構成を採用するならば、左右一対の回動パイプ継手（Ｊ）が差し込み一体化された縦水平骨パイプ（Ｙ）の使用により、上記立方体枠（Ａ）（Ｂ１）（Ｂ２）（Ｃ）をその文字通りの「立方体枠」として、容易に正しく枠組むことができ、第１〜４固定パイプ継手（Ｊ１）（Ｊ２）（Ｊ３）（Ｊ４）の各種と便利良く枢支連結することも可能となる。
【００７５】
請求項３の構成を採用するならば、上記折りたたみ作用の円滑化とその折りたたみ状態の扁平化を達成することができ、請求項２の採用とも相俟って、枠組み作業の容易化に役立つ。
【００７６】
請求項４の構成を採用するならば、回動パイプ継手（Ｊ）側の連結板片（２）と第１〜４固定パイプ継手（Ｊ１）（Ｊ２）（Ｊ３）（Ｊ４）側の連結板片（７Ｌ）（７Ｒ）（１７Ｌ）（１７Ｒ）（２７Ｌ）（２７Ｒ）とが、何れも縦水平骨パイプ（Ｙ）の太さ（Ｄ）分だけ対応的に張り出し形成されているため、上記立方体枠（Ａ）（Ｂ１）（Ｂ２）（Ｃ）を形作る縦水平骨パイプ（Ｙ）と横水平骨パイプ（Ｘ）とが、悉く密着し合うこととなり、折りたたみ状態の全体的な扁平化に役立つ。
【００７７】
更に、請求項５の構成を採用するならば、ジャングルジムの展開使用状態を安定・確固に施錠することができ、使用上の安全性がますます昂まる。
【図面の簡単な説明】
【図１】本考案に係るジャングルジムの展開使用状態を示す斜面図である。
【図２】図１の正面図である。
【図３】図１の平面図である。
【図４】図２の４−４線断面図である。
【図５】図２の５−５線断面図である。
【図６】接地台を抽出して示す拡大平面図である。
【図７】図６の背面図である。
【図８】図６の側面図である。
【図９】図６の９−９線断面図である。
【図１０】両端部に回動パイプ継手が差し込み一体化された縦水平骨パイプを示す平面図である。
【図１１】回動パイプ継手を抽出して示す斜面図である。
【図１２】第１固定パイプ継手を抽出して示す斜面図である。
【図１３】第２固定パイプ継手を抽出して示す斜面図である。
【図１４】第３固定パイプ継手を抽出して示す斜面図である。
【図１５】第４固定パイプ継手を抽出して示す斜面図である。
【図１６】図２の倒立Ｔ字型交点を抽出して示す部分拡大正面図である。
【図１７】図１６の平面図である。
【図１８】図１６の１８−１８線断面図である。
【図１９】図１８から縦水平骨パイプを横水平骨パイプへ閉合させた折りたたみ状態の断面図である。
【図２０】図２の十字型交点を抽出して示す部分拡大正面図である。
【図２１】図２０の平面図である。
【図２２】図２０の２２−２２線断面図である。
【図２３】図２２から縦水平骨パイプを横水平骨パイプへ閉合させた折りたたみ状態の断面図である。
【図２４】図２のＬ字型交点を抽出して示す部分拡大正面図である。
【図２５】図２４の平面図である。
【図２６】図２４の２６−２６線断面図である。
【図２７】図２６から縦水平骨パイプを横水平骨パイプへ閉合させた折りたたみ状態の断面図である。
【図２８】ジャングルジムに対する接地台、滑り台、階段並びに天板の取付状態を示す図２に対応する平面図である。
【図２９】図２８の天板を抽出して示す底面図である。
【図３０】図２８の３０−３０線に沿う拡大断面図である。
【図３１】図４からの折りたたみ途中過程を示す断面平面図である。
【図３２】ジャングルジムの折りたたみ状態を示す斜面図である。
【図３３】図３２の側面図である。
【図３４】図３２の平面図である。
【図３５】図３３の３５−３５線断面図である。
【符号の説明】
（１）・差込み脚筒
（２）・連結板片
（４）・回動許容面
（５）・垂直軸受け入れ孔
（６Ｘ）（６Ｚ）（１６Ｘ）（１６Ｚ）（２６Ｘ）（２６Ｚ）・差込み脚筒
（７Ｌ）（７Ｒ）（１７Ｌ）（１７Ｒ）（２７Ｌ）（２７Ｒ）・連結フォーク板片
（９）（１１）（１３）・垂直軸受け入れ孔
（１４）・スタビライザー
（１５Ｙ）・縦水平骨パイプ受け入れ凹溝
（１５Ｚ）・垂直骨パイプ受け入れ筒
（２０）・滑り台
（２１）・階段
（２２）・天板
（Ａ）・下段中央立方体枠
（Ｂ１）・下段左側立方体枠
（Ｂ２）・下段右側立方体枠
（Ｃ）・上段立方体枠
（Ｄ）・太さ
（Ｅ）・接地台
（Ｊ）・回動パイプ継手
（Ｊ１）・第１固定パイプ継手
（Ｊ２）・第２固定パイプ継手
（Ｊ３）・第３固定パイプ継手
（Ｊ４）・第４固定パイプ継手
（Ｌ１）（Ｌ２）（Ｌ３）・長さ
（Ｐ）・垂直軸
（Ｘ）・横水平骨パイプ
（Ｙ）・縦水平骨パイプ
（Ｚ）・垂直骨パイプ
【図１】
0003097851.tif 000003
【図２】
0003097851.tif 000004
【図３】
0003097851.tif 000005
【図４】
0003097851.tif 000006
【図５】
0003097851.tif 000007
【図６】
0003097851.tif 000008
【図７】
0003097851.tif 000009
【図８】
0003097851.tif 000010
【図９】
0003097851.tif 000011
【図１０】
0003097851.tif 000012
【図１１】
0003097851.tif 000013
【図１２】
0003097851.tif 000014
【図１３】
0003097851.tif 000015
【図１４】
0003097851.tif 000016
【図１５】
0003097851.tif 000017
【図１６】
0003097851.tif 000018
【図１７】
0003097851.tif 000019
【図１８】
0003097851.tif 000020
【図１９】
0003097851.tif 000021
【図２０】
0003097851.tif 000022
【図２１】
0003097851.tif 000023
【図２２】
0003097851.tif 000024
【図２３】
0003097851.tif 000025
【図２４】
0003097851.tif 000026
【図２５】
0003097851.tif 000027
【図２６】
0003097851.tif 000028
【図２７】
0003097851.tif 000029
【図２８】
0003097851.tif 000030
【図２９】
0003097851.tif 000031
【図３０】
0003097851.tif 000032
【図３１】
0003097851.tif 000033
【図３２】
0003097851.tif 000034
【図３３】
0003097851.tif 000035
【図３４】
0003097851.tif 000036
【図３５】
0003097851.tif 000037